(57)【特許請求の範囲】
【請求項１】
情報記録媒体に記録された情報を再生する再生手段と、再生手段からの情報記録媒体の排出を指示する操作手段と、再生手段により再生された情報を記憶する記憶手段と、表示手段と、制御手段とを備え、再生手段に装着された情報記録媒体から再生された情報を前記記憶手段に記憶する情報記録再生装置において、
記憶中に情報記録媒体の排出が操作手段から指示されたとき、前記制御手段が表示手段に記憶中である旨、記憶を中断するか否かの問い合わせ及び記憶完了までの時間を表示することを特徴とする情報記録再生装置。
【請求項２】
情報記録媒体に記録された情報を再生する再生手段と、再生手段からの情報記録媒体の排出を指示する操作手段と、再生手段により再生された情報を記憶する記憶手段と、表示手段と、制御手段とを備え、再生手段に装着された情報記録媒体から再生された情報を前記記憶手段に記憶する情報記録再生装置において、
記憶中に情報記録媒体の排出が操作手段から指示されたとき、前記制御手段が表示手段に記憶中である旨、記憶を中断するか否かの問い合わせ及び記憶完了した情報の識別情報を表示することを特徴とする情報記録再生装置。
【請求項３】
操作表示パネルと、この操作表示パネルを開口することにより情報記録媒体が挿排可能となり、装着された情報記録媒体に記録された情報を再生する再生手段と、再生手段により再生された情報を記憶する記憶手段と、制御手段とを備え、再生手段に装着された情報記録媒体から再生された情報を前記記憶手段に記憶する情報記録再生装置において、
記憶中に前記操作表示パネルの開口操作が行われたとき、制御手段が操作表示パネルの表示手段に記憶中である旨、記憶を中断するか否かの問い合わせ及び記憶完了までの時間を表示することを特徴とする情報記録再生装置。
【請求項４】
操作表示パネルと、この操作表示パネルを開口することにより情報記録媒体が挿排可能となり、装着された情報記録媒体に記録された情報を再生する再生手段と、再生手段により再生された情報を記憶する記憶手段と、制御手段とを備え、再生手段に装着された情報記録媒体から再生された情報を前記記憶手段に記憶する情報記録再生装置において、
記憶中に前記操作表示パネルの開口操作が行われたとき、制御手段が操作表示パネルの表示手段に記憶中である旨、記憶を中断するか否かの問い合わせ及び記憶完了した情報の識別情報を表示することを特徴とする情報記録再生装置。
【請求項５】
請求項１〜請求項４のいずれかに記載の情報記録再生装置において、
記憶完了時に、制御手段が再生手段から情報記録媒体を自動的に排出することを特徴とする情報記録再生装置。
【請求項６】
請求項１〜請求項４のいずれかに記載の情報記録再生装置において、
記憶中にエラーが発生したとき、制御手段がエラーが発生したことを通知することを特徴とする情報記録再生装置。
【発明の詳細な説明】
【技術分野】
【０００１】
本発明は、情報記録再生装置、特に、音楽情報を記録した情報記録媒体を再生する再生装置に情報記録媒体が装着されたとき、再生装置により自動的に音楽を再生し、再生された音楽を記憶装置に自動的に録音するオーディオ装置に関する。
【背景技術】
【０００２】
オーディオ装置、例えば、車載用オーディオ装置はＣＤプレーヤ等の記憶媒体再生装置を備え、その再生装置で再生した音楽を音声再生系等により鑑賞することができるのみならず、例えば数十Ｇ（ギガ）バイトといった大容量のハードディスク（以後ＨＤと称する）及びそれを駆動するハードディスクドライバ（ＨＤＤ）を備え、ＣＤ等の記録媒体を多数個分ＨＤにダビングしておき、そのＨＤから任意の音楽プログラムを選んで音楽再生系等により再生して鑑賞できるようにしたものがある（例えば、特許文献１参照。）。
【特許文献１】特開２０００−２０７８４５号公報
【０００３】
このようなオーディオ装置によれば、予め多数個の記録媒体、例えばＣＤの内容を内蔵ＨＤに記録しておけば、ＣＤの出し入れをしなくても多数のＣＤのプログラム演奏の中からそのときの好みのものをＨＤから読み出して簡単に鑑賞することができる。特に、運転しながら操作するケースの多い車載用オーディオ装置では、ＨＤにダビングすることによりＣＤ等の記録媒体の出し入れをしなくて済むので安全運転の面からも好ましい。
また、このように車載オーディオ装置では、多数のＣＤの内容をＨＤ等の記憶手段に録音して使用することが多いので、ＣＤを再生手段に装着することにより自動的に再生、録音を開始するようにしたものもある。
【発明の開示】
【発明が解決しようとする課題】
【０００４】
上記のように記録媒体を再生手段に装着することにより自動的に再生、録音を開始するようにした場合、音声が再生系から出力されないようにすることが多いので、録音していることを忘れてユーザが記録媒体の排出操作をしてしまう場合があり、録音が未完了のまま記録媒体が排出されてしまうという問題があった。
【０００５】
また、カーナビゲーション装置に付属されたオーディオ装置の場合、カーナビゲーション装置の操作表示パネルを開口すると、ＣＤ等の記録媒体が排出されるので、上記のようにユーザが自動録音中であることを忘れて操作表示パネルを開口すると、同様に、録音が未完了のまま記録媒体が排出されてしまうという問題があった。
【０００６】
さらに、自動録音時に、上記のように音楽が再生系から出力されないようにすると、音飛びが発生してもユーザが気がつかず、音が飛んだ状態で録音を完了してしまうことになる。この場合、音飛びを検知して自動的に再録音を行うことも可能であるが、その場合には、ユーザが気付かないまま録音時間が延長されてしまうという問題があった。また、自動録音の場合、録音がいつ終了したのか表示パネルを見ていないとユーザが分からないという問題もある。
【０００７】
さらに、自動録音時に再生中の音楽をスピーカから流すようにすることも可能であるが、予めＣＤ等の記録媒体の内容を内蔵ＨＤに記録し、内蔵ＨＤから好みのプログラム演奏を視聴することが多いユーザは、例えば、チューナーからの放送を聴いているときに自動録音する場合もあり、このような場合には、録音動作開始とともに記録媒体再生及び再生音を出力するから、録音終了後にはスピーカから流れる音声出力元を記録媒体装着前のものに戻さなければならず、手間がかかるという問題もあった。
【０００８】
本発明は、上記の問題に鑑みてなされたもので、記録媒体の自動録音中に記録媒体が排出されることを防止するとともに、自動録音時のユーザの操作の手間を省くことができる情報記録再生装置を提供することを目的とする。
【課題を解決するための手段】
【０００９】
上述の目的を達成するため、本発明に係る情報記録再生装置（１）は、情報記録媒体に記録された情報を再生する再生手段と、再生手段からの情報記録媒体の排出を指示する操作手段と、再生手段により再生された情報を記憶する記憶手段と、表示手段と、制御手段とを備え、再生手段に装着された情報記録媒体から再生された情報を前記記憶手段に記憶する情報記録再生装置において、記憶中に情報記録媒体の排出が操作手段から指示されたとき、前記制御手段が表示手段に記憶中である旨、記憶を中断するか否かの問い合わせ及び記憶完了までの時間を表示することを特徴とする。
【００１０】
また、本発明に係る情報記録再生装置（２）は、情報記録媒体に記録された情報を再生する再生手段と、再生手段からの情報記録媒体の排出を指示する操作手段と、再生手段により再生された情報を記憶する記憶手段と、表示手段と、制御手段とを備え、再生手段に装着された情報記録媒体から再生された情報を前記記憶手段に記憶する情報記録再生装置において、記憶中に情報記録媒体の排出が操作手段から指示されたとき、前記制御手段が表示手段に記憶中である旨、記憶を中断するか否かの問い合わせ及び記憶完了した情報の識別情報を表示することを特徴とする。
【００１１】
また、本発明に係る情報記録再生装置（３）は、操作表示パネルと、この操作表示パネルを開口することにより情報記録媒体が挿排可能となり、装着された情報記録媒体に記録された情報を再生する再生手段と、再生手段により再生された情報を記憶する記憶手段と、制御手段とを備え、再生手段に装着された情報記録媒体から再生された情報を前記記憶手段に記憶する情報記録再生装置において、記憶中に前記操作表示パネルの開口操作が行われたとき、制御手段が操作表示パネルの表示手段に記憶中である旨、記憶を中断するか否かの問い合わせ及び記憶完了までの時間を表示することを特徴とする。
【００１２】
また、本発明に係る情報記録再生装置（４）は、操作表示パネルと、この操作表示パネルを開口することにより情報記録媒体が挿排可能となり、装着された情報記録媒体に記録された情報を再生する再生手段と、再生手段により再生された情報を記憶する記憶手段と、制御手段とを備え、再生手段に装着された情報記録媒体から再生された情報を前記記憶手段に記憶する情報記録再生装置において、記憶中に前記操作表示パネルの開口操作が行われたとき、制御手段が操作表示パネルの表示手段に記憶中である旨、記憶を中断するか否かの問い合わせ及び記憶完了した情報の識別情報を表示することを特徴とする。
【００１５】
また、本発明に係る情報記録再生装置（５）は、情報記録再生装置（１）〜（４）のいずれかにおいて、記憶完了時に、制御手段が再生手段から情報記録媒体を自動的に排出することを特徴とする。
【００１６】
また、本発明に係る情報記録再生装置（６）は、情報記録再生装置（１）〜（４）のいずれかにおいて、記憶中にエラーが発生したとき、制御手段がエラーが発生したことを通知することを特徴とする。
【発明の効果】
【００１９】
本発明に係る情報記録再生装置（１）、（２）によれば、記憶中に再生手段からの情報記録媒体の排出が操作手段から指示されたとき、表示手段に記憶中である旨及び記憶を中断するか否かの問い合わせが表示されるので、ユーザが誤って情報記録媒体の排出操作を行っても記憶中であることを認識し、記憶を継続することができる。例えば、音楽情報の自動録音中に表示を見ることでユーザは誤って情報記録媒体の排出指示をすることを防ぐことができる。
【００２０】
また、本発明に係る情報記録再生装置（１）、（２）によれば、記憶中に再生手段からの情報記録媒体の排出が操作手段から指示されたとき、表示手段に記憶完了までの時間あるいは記憶完了した情報の識別情報が表示されるので、その時点での記憶完了までの残り時間あるいは記憶完了した、例えば音楽の曲名等を知ることができる。
【００２１】
さらに、本発明に係る情報記録再生装置（３）、（４）によれば、上記と同様に、記憶中に操作表示パネルの開口操作が行われたとき、操作表示パネルの表示手段に記憶中である旨、記憶を中断するか否かの問い合わせ、記憶完了までの時間あるいは記憶完了した情報の識別情報が表示されるので、ユーザが誤って操作表示パネルの開口操作を行っても記憶中であることを認識することができるとともに、その時点での記憶完了した、例えば音楽の曲名等を知ることができる。
【００２２】
さらに、本発明に係る情報記録再生装置（５）によれば、記憶完了時に、再生手段から情報記録媒体が自動的に排出されるので、ユーザの操作の手間を省くことができる。
【００２３】
さらに、本発明に係る情報記録再生装置（６）によれば、記憶中にエラーが発生したとき、エラーが発生したことが通知されるので、ユーザは記憶を中断するかそのまま記憶を継続するかを選択することができる。
【実施例】
【００２６】
以下、本発明のオーディオ装置を、一例としてカーナビゲーション装置に適用した場合の実施例について、図面を用いて説明する。図１はカーナビゲーション装置の外観図であり、図に示すように、装置本体１の前面に操作・表示パネル２が設けられており、この操作・表示パネル２の中央部にＬＣＤ表示部３が配置され、その周囲に複数の操作キー４が設けられている。
この操作キー４またはＬＣＤ表示部３のタッチパネルから操作表示パネル２の開口を指示すると、操作・表示パネル２が下側に回転しながら下りていき、ＣＤプレーヤやＭＤプレーヤの記録媒体挿入部（図示せず）が現れ、記録媒体を挿入することが可能になる。
【００２７】
図２はカーナビゲーション装置の制御系の構成を示す概略ブロック図であり、この図ではオーディオに関係する部分のみを示している。図に示すように、カーナビゲーション装置のオーディオ関係部はＣＰＵ１１、ＲＯＭ（Read Only Memory）１２、ＲＡＭ（Random Access Memory）１３、ＨＤＤ１４、エンコーダ１５、デコーダ１６、ＣＤ−ＲＯＭドライバ１７、ＭＤドライバ１８、チューナー１９、セレクタ２０、増幅器（ＡＭＰ）２１、スピーカ２２、表示部２３、表示コントローラ２４、入力部２５、グラフィックコントローラ２６、グラフィックメモリ２７から構成され、各部がバス２８を介して接続されている。
【００２８】
ＣＰＵ１１はバス２８を介してカーナビゲーション装置のハードウェア各部を制御するとともに、ＲＯＭ１２に記憶されたプログラムに基づいて各種のプログラムを実行する。ＲＯＭ１２はカーナビゲーション装置の動作に必要な種々のプログラムを予め記憶しており、ＲＡＭ１３はＳＲＡＭ等で構成され、プログラムの実行時に発生する一時的なデータを記憶する。
【００２９】
ＨＤＤ１４はＣＤ等の記録媒体に記録された音楽を記憶する記憶媒体であるＨＤを駆動し、ＣＤ等の記録媒体からの信号はエンコーダ１５により圧縮されてＨＤに記憶され、ＨＤから読み出された信号はデコーダ１６により復号化されて出力される。また、ＣＤ−ＲＯＭドライバ１７、ＭＤドライバ１８はＣＤやＭＤに記録されている音楽情報を再生して出力し、チューナー１９はＦＭ、ＡＭ、テレビジョン放送等の音声の放送を受信して出力する。セレクタ２０はスピーカから出力する音声を選択するものであり、ＣＰＵ１１の制御によりによりＨＤＤ１４の読み出し出力、ＣＤ−ＲＯＭドライバ１７の出力、ＭＤドライバ１８の出力あるいはチューナー１９の出力を選択してＡＭＰ２１に出力し、スピーカ２２から選択された音声が流れる。
【００３０】
表示部２３は、地図やカーナビゲーション装置の動作状態を表示したり、種々の機能の操作画面の表示を行うもので、図１の操作・表示パネル２に設けられた大型ＬＣＤ表示部（大型表示画面）３により構成され、表示コントローラ２４により制御される。このＬＣＤ表示部３には、タッチパネルスイッチが配設され、ＬＣＤ表示部３に表示された項目部分を押下することで、対応する項目の選択や機能の実行を行うことができる。入力部２５は操作・表示パネル２に設けられた操作キー４とＬＣＤ表示部３のタッチパネルにより構成されている。
また、グラフィックコントローラ２６はＣＰＵ１１により制御され、表示部２３に表示する内容をグラフィックメモリ２７から読み出して表示コントローラ２４に送出する。
【００３１】
このナビゲーション装置のオーディオ装置は、ＣＤ−ＲＯＭドライバ１７にＣＤが装着されたとき、ＣＤを自動再生するとともに、再生出力を自動的にエンコーダ１５を介してＨＤＤ１４によりＨＤに記憶する自動録音機能を備えているが、この自動録音時にスピーカ２２から出力される出力の動作モードを設定することができるようにしている。即ち、ＣＤ装着時に、その時点でスピーカ２２から出力されている音声、例えば、チューナー１９からの放送出力、を変更することなく、自動録音を開始するモード（モード１）と、装着されたＣＤの再生出力に変更するモード（モード２）とを選択することができる。このモード選択時には、操作キー４によりＬＣＤ表示部３にメニューを表示して音声出力モード設定を選び、ＬＣＤ表示部３の音声出力モード設定画面に表示された「モード１」、あるいは「モード２」を押下することによりいずれかのモードを設定することができ、ユーザにより設定された出力動作モードがＲＡＭ１３に記憶される。
【００３２】
次に、ＣＤに記録された音楽情報をＨＤに自動録音する場合の動作を図３のフローチャートにより説明する。なお、この動作は、ＲＯＭ１２に記憶されたプログラムに基づき、ＣＰＵ１１の制御により実行される。
自動録音する場合に、ユーザが操作キー４またはＬＣＤ表示部３のタッチパネルから操作・表示パネル２の開口を指示すると、操作・表示パネル２が下側に回転しながら下りていき、ＣＤ−ＲＯＭドライバ１７やＭＤドライバ１８の記録媒体挿入部が現れる。この状態で、ユーザがＣＤをＣＤ−ＲＯＭドライバ１７のＣＤ装着部に装着すると、ＣＰＵ１１は図３のフローチャートのプログラムを開始する。
【００３３】
ＣＤが装着されると、ＣＰＵ１１は操作・表示パネル２を閉じた後、ＣＤ−ＲＯＭドライバ１７によるＣＤの再生を開始し、ＣＤ−ＲＯＭドライバ１７により再生された音楽情報がエンコーダ１５を介してＨＤＤ１４によりＨＤに自動録音される（ステップ１０１）。次に、ＣＰＵ１１はＲＡＭ１３に記憶されているユーザが設定した音声出力モードがモード２か否かを判別する（ステップ１０２）。モード１の場合には、その時点でスピーカ２２から出力されている、例えば、チューナー１９からの放送音声をそのままスピーカ２２から継続して出力させる。一方、設定された出力動作モードがモード２の場合には、ＣＰＵ１１はＨＤに録音された音楽情報をＨＤＤ１４により再生するとともに、セレクタ２０を制御することによりセレクタ２０の出力をデコーダ１６の出力に切替える（ステップ１０３）。これにより、ＨＤに自動録音すると同時に、ＨＤに記憶された音楽情報が読み出され、デコーダ１６、セレクタ２０、ＡＭＰ２１を介してスピーカ２２に入力されるので、ＣＤに記録された音楽がスピーカ２２から流される。
次に、ＣＰＵ１１はグラフィックコントローラ２６、表示コントローラ２４を制御し、上記出力動作モードに応じて、ＬＣＤ表示部３に「ＣＤ再生中」、「ＦＭ放送」等の出力動作モードを表示する（ステップ１０４）。
【００３４】
次に、ＣＰＵ１１は、自動録音中にユーザにより操作キー４またはＬＣＤ表示部３のタッチパネルからＣＤの排出（イジェクト）操作あるいは操作・表示パネル２の開口操作が行われたか否かを判別する（ステップ１０５）。自動録音中にイジェクト操作またはパネル開口操作が行われると、ＣＰＵ１１はグラフィックコントローラ２６、表示コントローラ２４を制御して、ＬＣＤ表示部３に図４に示す録音未完了の表示を行うことにより、ユーザに録音中であることを知らせる（ステップ１０６）。
【００３５】
一方、ＣＤにはプログラム領域に音楽信号等がトラック別にデジタル記録されるとともに、リードイン領域に各トラックの位置を示す情報等のＴＯＣ（Table Of Contents）情報が記録されており、ＣＤの再生時には、ＣＰＵ１１は最初にこのＴＯＣ情報を読み取ってＲＡＭ１３に記憶する。このＴＯＣ情報として、ディスク内の各曲の番号、演奏時間等が含まれているので、ＣＰＵ１１はイジェクト操作時の残り演奏時間、録音完了曲番号を演算し、図４に示すように、これらを録音未完了の表示画面に表示するとともに、自動録音を中断するか否かを選択する「ＹＥＳ」、「ＮＯ」のアイコンを表示する。
【００３６】
次に、ＣＰＵ１１はこの画面で「ＹＥＳ」または「ＮＯ」のいずれが押下されたかを判別する（ステップ１０７）。この画面で、ユーザが「ＹＥＳ」を押下すると、ＣＰＵ１１は自動録音を中断した（ステップ１０８）後、操作・表示パネル２を開口し、ＣＤを排出して（ステップ１０９）、プログラムを終了する。また、図４の録音未完了表示画面でユーザが「ＮＯ」を押下すると、ＣＰＵ１１はステップ１０５に戻り、自動録音を継続する。
【００３７】
一方、ステップ１０５において、イジェクト操作がないと判別した場合には、ＣＰＵ１１は音飛びがあったか否かを判別する（ステップ１１０）。ＣＰＵ１１は常にＣＤ−ＲＯＭドライバ１７で再生されているＣＤデータのデータ番号（アドレス）をチェックしており、データ番号が大きく変化した際は、音飛びが発生したと判断し、この音飛びが発生していた場合には、ＣＰＵ１１はグラフィックコントローラ２６、表示コントローラ２４を制御して、ＬＣＤ表示部３に図５に示す音飛び発生表示及び録音中断選択アイコンの表示を行う（ステップ１１１）。
【００３８】
次に、ＣＰＵ１１はこの画面で「ＹＥＳ」または「ＮＯ」のいずれが押下されたかを判別する（ステップ１１２）。ユーザが「ＹＥＳ」を押下すると、ＣＰＵ１１は自動録音を中断した（ステップ１１３）後、操作・表示パネル２を開口し、ＣＤを排出して（ステップ１０９）、プログラムを終了し、ユーザが「ＮＯ」を押下すると、ＣＰＵ１１はステップ１０５に戻る。
また、ステップ１１０において、音飛びがないと判別した場合には、ＣＰＵ１１は録音が完了したか否かを判別する（ステップ１１４）。録音が完了していない場合には、ステップ１０５に戻り、録音が完了したと判別した場合には、ＣＰＵ１１は操作・表示パネル２を開口してＣＤを排出し（ステップ１０９）、プログラムを終了する。
【００３９】
このように、ＣＤの音楽情報の自動録音中にイジェクト操作またはパネル開口操作が行われた場合には、録音中であることの注意喚起がユーザになされるので、ユーザの意に沿わない録音中断を防ぐことができる。また、音飛びが発生した場合にも、ユーザに注意喚起がなされるので、音飛びのまま自動録音されてしまうことを防止することができる。
【００４０】
なお、上記の実施例では、自動録音時の音声出力モードを選択することができる例を説明したが、音声出力モードの選択機能を設けず、自動録音時には、記録媒体の再生音声を出力することなく、常にそのとき出力されている音声を継続して出力するようにすることも可能である。
また、上記の実施例では、自動録音中のイジェクト操作時及び音飛びの発生時に注意画面をＬＣＤ表示部に表示したが、音声により録音中または音飛び発生をユーザに通知するようにすることも可能である。
【００４１】
さらに、上記の実施例では、本発明のオーディオ装置をカーナビゲーション装置に適用した例を説明したが、通常のＣＤプレーヤ、ＭＤプレーヤを備えたオーディオ装置にも本発明を適用することができ、またＣＤプレーヤのみあるいはＭＤプレーヤのみを備えたオーディオ装置にも適用することができる。
また、上記の実施例では、ＣＤの音楽情報をＨＤに自動録音する例を説明したが、その他の様々な記録媒体からＨＤ以外の様々な記憶手段に自動録音する場合にも、本発明を適用することができる。また、記録媒体の情報は音楽・画像等種々の情報であっても、本発明を適用することができる。
【図面の簡単な説明】
【００４２】
【図１】本発明を実施するカーナビゲーション装置の外観図である。
【図２】カーナビゲーション装置の制御系の構成を示す概略ブロック図である。
【図３】ＣＤに記録された音楽情報をＨＤに自動録音する場合の動作を示すフローチャートである。
【図４】録音未完了の表示の一例を示す図である。
【図５】音飛び発生の表示の一例を示す図である。
【符号の説明】
【００４３】
１  装置本体
２  操作・表示パネル
３  ＬＣＤ表示部
４  操作キー
１１  ＣＰＵ
１２  ＲＯＭ
１３  ＲＡＭ
１４  ＨＤＤ
１５  エンコーダ
１６  デコーダ
１７  ＣＤ−ＲＯＭドライバ
１８  ＭＤドライバ
１９  チューナー
２０  セレクタ
２１  ＡＭＰ
２２  スピーカ
２３  表示部
２４  表示コントローラ
２５  入力部
２６  グラフィックコントローラ
２７  グラフィックメモリ
２８  バス
【図１】
0004610175.tif 000002
【図２】
0004610175.tif 000003
【図３】
0004610175.tif 000004
【図４】
0004610175.tif 000005
【図５】
0004610175.tif 000006